(57)【要約】  本発明は、洋式便器の前に立って放尿する場合、尿や水が洋式便器の外に飛び散ることを防止することができる尿飛散防止機構が設けられた洋式便器に関するものであって、一定水準の貯水が溜まりおり用便が一時的に貯蔵される便器本体２０と、この便器本体２０の上部一側にヒンジ結合され、回動可能に設けられるシート部３２とを含む洋式便器において、前記便器本体２０の上部に両端が上方に弾性支持されてヒンジ結合され、前記シート部３２の回動可能な半径内に位置し、前記シート部３２の回動操作と連動され、上下回動可能なガイドフレーム１１０と、前記ガイドフレーム１１０に固定され、前記ガイドフレーム１１０と便器本体２０との間を遮るための遮断膜１２０とで構成され、放尿過程で尿が便器の外に飛び散ることを防止し、周辺の環境を清潔に維持することができるという効果がある。【選択図】図２
2015510063.tif 000002
【特許請求の範囲】
【請求項１】
一定水準の貯水が溜まっており用便が一時的に貯蔵される便器本体と、この便器本体の上部一側にヒンジ結合されて回動可能に設けられるシート部とを含む洋式便器において、
前記便器本体の上部に両端が上方に弾性支持されてヒンジ結合され、前記シート部の回動可能な半径内に位置し、前記シート部の回動操作と連動し、上下回動が可能なガイドフレームと、
前記ガイドフレームに固定され、前記ガイドフレームと前記便器本体との間を遮るための遮断膜とで構成されることを特徴とする尿飛散防止機構が設けられた洋式便器。
【請求項２】
一定水準の貯水が溜まっており用便が一時的に貯蔵される便器本体と、この便器本体の上部一側にヒンジ結合されて回動可能に設けられるシート部とを含む洋式便器において、
前記便器本体の上部に両端が上方に弾性支持されてヒンジ結合されるガイドフレームと、
前記ガイドフレームに固定され、前記ガイドフレームと前記便器本体との間を遮るための遮断膜と、
両側端部が前記ガイドフレームに横方向に固定され、前記シート部の回動可能な半径内に位置され、前記シート部の回動操作と連動され、前記ガイドフレームを上下回動させることになる補助ストリップとで構成されることを特徴とする尿飛散防止機構が設けられた洋式便器。
【請求項３】
一定水準の貯水が溜まっており用便が一時的に貯蔵される便器本体と、この便器本体の上部一側にヒンジ結合されて回動可能に設けられるシート部とを含む洋式便器において、
前記便器本体の上部に両端が上方に弾性支持されてヒンジ結合されるガイドフレームと、
前記ガイドフレームに固定され、前記ガイドフレームと前記便器本体との間を遮るための遮断膜と、
前記便器本体の一側下端部に位置し、前記ガイドフレームを回転操作させるための操作ペダルと、
前記操作ペダルの操作力を前記ガイドフレームに伝達し、前記ガイドフレームを昇降駆動することになる駆動伝達部とで構成されることを特徴とする尿飛散防止機構が設けられた洋式便器。
【請求項４】
前記遮断膜は、前記ガイドフレームに固定される上端部に一定長さを有する多数のくさび状の固定端と、各固定端が対応して嵌めて固定されるように形成された固定孔とが備えられることを特徴とする請求項１から３のいずれか一項に記載の尿飛散防止機構が設けられた洋式便器。
【請求項５】
前記遮断膜は、折り畳み方向にしわを有することを特徴とする請求項１から３のいずれか一項に記載の尿飛散防止機構が設けられた洋式便器。
【請求項６】
前記遮断膜の下端には多数の重りが追加されることを特徴とする請求項１から３のいずか一項に記載の尿飛散防止機構が設けられた洋式便器。
【請求項７】
一定水準の貯水が溜まっており用便が一時的に貯蔵される便器本体と、この便器本体の上部一側にヒンジ結合されて回動可能に設けられるシート部とを含む洋式便器において、
前記便器本体の前端部を囲むように位置し、前記便器本体の高さより高く上下昇降可能に設けられる遮断板と、
前記遮断板の上下昇降方向を案内するように前記遮断板と組み立てられる少なくとも二つ以上のガイド部材と、
前記遮断板を上方に弾性支持するように前記ガイド部材に設けられる弾性支持部材と、
両側端部が前記遮断板に横方向に固定され、前記シート部の回動可能な半径内に位置され、前記シート部の回動操作と連動され、前記遮断板が上下駆動が行われるようにする補助ストリップとで構成されることを特徴とする尿飛散防止機構が設けられた洋式便器。
【請求項８】
一定水準の貯水が溜まっており用便が一時的に貯蔵される便器本体と、この便器本体の上部一側にヒンジ結合されて回動可能に設けられるシート部とを含む洋式便器において、
前記便器本体の前端部を囲むように位置し、前記便器本体の高さより高く上下昇降可能に設けられる遮断板と、
前記便器本体の一側下端部に位置し、前記遮断板を昇降操作するための操作ペダルと、
前記操作ペダルの操作力を前記遮断板へ伝達し、前記遮断板を昇降駆動することになる駆動伝達部とで構成されることを特徴とする尿飛散防止機構が設けられた洋式便器。
【請求項９】
前記駆動伝達部は、
前記便器本体の下端部に位置するベースプレートと、
前記ベースプレートと前記遮断板に各々両端が回動可能に組み立てられる少なくとも二つ以上で構成されるが、少なくとも一つは前記操作ペダルと連結される回動リンクと、
前記回動リンクを弾性支持する弾性体とで構成されることを特徴とする請求項８に記載の尿飛散防止機構が設けられた洋式便器。
【発明の詳細な説明】
【技術分野】
【０００１】
本発明は、尿飛散防止機構が設けられた洋式便器に関するものであって、特に、洋式便器の前に立って放尿する場合、尿が洋式便器の外に飛び散ることを防止することができる尿飛散防止機構が設けられた洋式便器に関するものである。
【背景技術】
【０００２】
一般的に洋式便器は、一定水準の貯水が溜まっており用便が一時的に貯蔵される便器本体と、この本体の上部一側にヒンジ結合されて回動可能に設けられるシート部とを含み、男性は、放尿する場合、シート部を持ち上げてから便器本体の前に立って放尿することになるが、この過程で便器本体内に溜まっている貯水から尿が飛び散り、脛や膝又は衣類の下衣が汚染されて悪臭を誘発し、使用者に不快感を与えることができる。
【０００３】
かかる問題点を改善するために、洋式便器に尿の飛散を防止することができる尿飛散防止機構が提案されており、例えば、韓国登録実用新案第２０-０４２６３８９号（登録日：２００６.０９.０６）には、尿飛散防止用補助機構が備えられた洋式便器を提案している。
【０００４】
図１は、従来技術による尿飛散防止用補助機構が備えられた洋式便器を示す図面である。
【０００５】
図１に示すように、前記韓国登録実用新案は、一定量の水が貯蔵される水槽１０と、排泄物が一時的に貯蔵される便器本体２０と、便器本体２０の上部一側にヒンジ３１で結合されて回動可能な座台３２からなる水洗式洋式便器Ａにおいて、便器本体２０と座台３２との間に設けられるものであって、上部側の尿投入部４０ａと、下部側の排出口４０ｂが内側の通路に沿って連通され、一体に形成された尿飛散防止用補助機構４０と、この補助機構４０と座台３２を連結する連結手段５０とで構成され、座台３２の回転動作によって補助機構４０が便器本体２０の上下部側に昇降作動されるものである。
【０００６】
補助機構４０は、ボディ４１の後面が網体４２からなり、尿が吸収または通過されることができるように構成され、尿が外に飛び散らないようにする。
【０００７】
図面符号６０は、座台３２の上部に設けられ、別に回動可能な便器カバーである。
【０００８】
しかし、このような従来の尿飛散防止用補助機構は、尿飛散を防止するために、相対的に飛散の発生が頻繁であり得る前部分が低く設けられ、尿飛散防止の効果が低く、また、一つの連結手段のみで補助機構４０と座台３２が連結され、左右非対称の構造により補助機構４０が傾いており確実に作動されにくい。
【０００９】
特に、補助機構４０の下端部が貯水に浸り、便器本体２０の内側２１に挿入される構造を有することによって、貯水に浸る補助機構４０の下端部に大便等の異物が入り、残余物が残ることになり、不潔且つ悪臭が発生するという問題がある。
【００１０】
他方、尿が便器の外に飛び散ることを改善するためには、便器本体の高さを高く製作すればよいが、この場合、洋式便器の高さが脛の高さ以上になり、水洗式便器に座る姿勢が不便なだけでなく、大便時に落下の高さが高くなり、大便の汚物の飛散がさらに激しくなるという問題がある。
【発明の概要】
【発明が解決しようとする課題】
【００１１】
本発明は、かかる従来技術の問題点を改善しようとするもので、従来の洋式便器の構造を変更しないながらも、立位姿勢で放尿しても、使用時に不便さがないため、尿飛散を防止することができる尿飛散防止機構が設けられた洋式便器を提供しようとする。
【課題を解決するための手段】
【００１２】
前記目的を達成するための本発明による洋式便器は、一定水準の貯水が溜まっており用便が一時的に貯蔵される便器本体と、この便器本体の上部一側にヒンジ結合されて回動可能に設けられるシート部とを含む洋式便器において、前記便器本体の上部に両端が上方に弾性支持されてヒンジ結合され、前記シート部の回動可能な半径内に位置し、前記シート部の回動操作と連動し、上下回動が可能なガイドフレームと、前記ガイドフレームに固定され、前記ガイドフレームと便器本体との間を遮るための遮断膜とにより達成される。
【００１３】
また、本発明による他の観点による本発明の洋式便器は、一定水準の貯水が溜まっており用便が一時的に貯蔵される便器本体と、この便器本体の上部一側にヒンジ結合されて回動可能に設けられるシート部とを含む洋式便器において、前記便器本体の上部に両端が上方に弾性支持されてヒンジ結合されるガイドフレームと、前記ガイドフレームに固定され、前記ガイドフレームと便器本体との間を遮るための遮断膜と、両側端部が前記ガイドフレームに横方向に固定され、前記シート部の回動可能な半径内に位置され、前記シート部の回動操作と連動され、前記ガイドフレームを上下回動させることになる補助ストリップとにより達成されることができる。
【００１４】
さらに、本発明によるまた別の観点による本発明の洋式便器は、一定水準の貯水が溜まっており用便が一時的に貯蔵される便器本体と、この便器本体の上部一側にヒンジ結合されて回動可能に設けられるシート部とを含む洋式便器において、前記便器本体の上部に両端が上方に弾性支持されてヒンジ結合されるガイドフレームと、前記ガイドフレームに固定され、前記ガイドフレームと便器本体との間を遮るための遮断膜と、前記便器本体の一側下端部に位置し、前記ガイドフレームを回転操作させるための操作ペダルと、前記操作ペダルの操作力を前記ガイドフレームに伝達し、前記ガイドフレームを昇降駆動することになる駆動伝達部とにより達成されることができる。
【００１５】
好ましくは、本発明において、前記遮断膜は、ガイドフレームに固定される上端部に一定長さを有する多数のくさび状の固定端と、各固定端が対応して嵌めて固定されるように形成された固定孔が備えられることを特徴とする。
【００１６】
好ましくは、本発明において、前記遮断膜は、折り畳み方向にしわを有することを特徴とする。
【００１７】
また、本発明のまた別の観点による本発明の洋式便器は、一定水準の貯水が溜まっており用便が一時的に貯蔵される便器本体と、この便器本体の上部一側にヒンジ結合されて回動可能に設けられるシート部とを含む洋式便器において、前記便器本体の前端部を囲むように位置し、前記便器本体の高さより高く上下昇降可能に設けられる遮断板と、前記遮断板の上下昇降方向を案内するように遮断板と組み立てられる少なくとも二つ以上のガイド部材と、前記遮断板を上方に弾性支持するように前記ガイド部材に設けられる弾性支持部材と、両側端部が前記遮断板に横方向に固定され、前記シート部の回動可能な半径内に位置され、前記シート部の回動操作と連動され、前記遮断板が上下駆動が行われるようにする補助ストリップとにより達成されることができる。
【００１８】
さらに、本発明のまた別の観点による本発明の洋式便器は、一定水準の貯水が溜まっており用便が一時的に貯蔵される便器本体と、この便器本体の上部一側にヒンジ結合されて回動可能に設けられるシート部とを含む洋式便器において、前記便器本体の前端部を囲むように位置し、前記便器本体の高さより高く上下昇降可能に設けられる遮断板と、前記便器本体の一側下端部に位置し、前記遮断板を昇降操作するための操作ペダルと、前記操作ペダルの操作力を前記遮断板へ伝達し、前記遮断板を昇降駆動することになる駆動伝達部とにより達成されることができる。
【００１９】
好ましくは、本発明において、前記駆動伝達部は、前記便器本体の下端部に位置するベースプレートと、前記ベースプレートと前記遮断板に各々両端が回動可能に組み立てられる少なくとも二つ以上で構成されるが、少なくとも一つは前記操作ペダルと連結される回動リンクと、前記回動リンクを弾性支持する弾性体とで構成されることを特徴とする。
【発明の効果】
【００２０】
本発明による尿飛散防止機構が備えられた洋式便器は、従来の洋式便器の構造を変更しないながらも、立位姿勢で放尿しても、使用時に不便なく尿の飛散を防止することができるので、便器の外に尿が飛び散り、周辺が汚染されたり悪臭が発生することを防止することができるという効果がある。
【図面の簡単な説明】
【００２１】
【図１】従来技術による尿飛散防止用補助機構が備えられた洋式便器を示す図面。
【図２】本発明による尿飛散防止機構が備えられた洋式便器の好ましい第１実施例を示す図面。
【図３】本発明による尿飛散防止機構が備えられた洋式便器の好ましい第１実施例を示す図面。
【図４】本発明による尿飛散防止機構が備えられた洋式便器において、遮断膜の他の変形例を示す図面。
【図５】本発明による尿飛散防止機構が備えられた洋式便器において、遮断膜の他の変形例を示す図面。
【図６】本発明による尿飛散防止機構が備えられた洋式便器において、遮断膜のまた別の変形例を示す図面。
【図７】本発明による尿飛散防止機構が備えられた洋式便器の好ましい第２実施例を示す図面。
【図８】本発明による尿飛散防止機構が備えられた洋式便器の好ましい第３実施例を示す図面。
【図９】本発明による尿飛散防止機構が備えられた洋式便器の好ましい第４実施例を示す図面。
【図１０】本発明による尿飛散防止機構が備えられた洋式便器の好ましい第５実施例を示す図面。
【図１１】本発明による尿飛散防止機構が備えられた洋式便器において、駆動伝達部の他の変形例を示す図面。
【図１２】本発明による尿飛散防止機構が備えられた洋式便器において、駆動伝達部の他の変形例を示す図面。
【発明を実施するための形態】
【００２２】
以下、本発明の実施例を添付図を参考にして詳しく説明すると次の通りである。
【実施例】
【００２３】
（第１実施例）
図２を参考にすると、本発明で、便器本体２０と、この便器本体２０の上部一側にヒンジ結合されて回動可能に設けられるシート部３２とを含む洋式便器は従来技術と同一であるため、これに対する詳しい説明は省略する。
【００２４】
本発明の実施例による尿飛散防止機構は、便器本体２０の上部に弾性支持されてヒンジ結合されるガイドフレーム１１０と、このガイドフレーム１１０に固定され、ガイドフレーム１１０と便器本体２０との間を遮るための遮断膜１２０により提供されることができる。
【００２５】
ガイドフレーム１１０は、円弧状を有するワイヤが用いられることができ、ガイドフレーム１１０の両端１１１はヒンジブラケット１１２に回動可能に組み立てられ、ヒンジブラケット１１２は、便器本体２０の上部面に両面テープまたは接着剤を用いて固定されたり「コ」字状のクリップで固定されることができる。
【００２６】
ヒンジブラケット１１２には、トーションスプリング１１３が設けられ、このトーションスプリング１１３はガイドフレーム１１０を上方に弾性支持する。ガイドフレーム１１０は、トーションスプリング１１３により上方に弾性支持され、外力のない場合、ガイドフレーム１１０は便器本体２０に対して一定角度の傾斜を有して位置（尿飛散防止位置）させる。
【００２７】
ガイドフレーム１１０の大きさや形状は特に限定されないが、好ましくは、シート部３２の回動可能な半径よりはサイズが小さく、よって、シート部３２の回動操作と連動され、上下回動が行われることができる。
【００２８】
遮断膜１２０は、上端部がガイドフレーム１１０に沿って固定が行われることができ、このように設けられた遮断膜１２０は、ガイドフレーム１１０と便器本体２０との間を遮ることになり、便器本体２０の外に尿が飛び散ることを防止することができる。
【００２９】
かかる遮断膜１２０は、防水可能な生地等が用いられることができるが、特に材質が限定されない。
【００３０】
一方、遮断膜１２０の長さは、ガイドフレーム１１０と便器本体２０との間を遮ることができる範囲内で適宜決定され、好ましくは、遮断膜１２０の下端が便器本体２０の上部にかかっている程度であれば充分であり、遮断膜１２０が便器本体２０の貯水に浸らないようにすることが好ましい。
【００３１】
遮断膜１２０の下端には重量感のある多数の重り１２４がさらに固定されることができる。遮断膜１２０は、下端の重り１２４の重みにより、便器本体２０の外で広がった状態を常に維持することになるので、ガイドフレーム１１０の上下動作時に遮断膜が崩れたり折り畳まれて空間が発生したり、特に崩れた状態で下降時に遮断膜が便器本体の上端の段差にかかって下りないことを防止することができる。
【００３２】
図３に示すように、シート部３２を下すとシート部３２より小さいサイズを有するガイドフレーム１１０はシート部３２と共に遮断膜１２０が折り畳まれながら下りていくことになり、よって、使用者は、シート部３２に座っても、ガイドフレーム１１０や遮断膜１２０により妨げられない。
【００３３】
図４の（ａ）は、本発明による尿飛散防止機構が備えられた洋式便器において、遮断膜の別の変形例を示す図面であって、遮断膜１２０Ａは、ガイドフレームに固定される上端部に一定長さを有する多数のくさび状の固定端１２１と、各固定端１２１が対応して嵌めて固定されることができる固定孔１２２が設けられることができる。
【００３４】
図４の（ｂ）に示すように、遮断膜１２０Ａは、ガイドフレーム１１０に沿って固定端１２１を巻き、固定孔１２２に嵌めて固定が行われることができる。
【００３５】
図４の（ａ）（ｂ）での図面符号１２３は、ガイドフレームと遮断膜の一部区間に深く窪まれた溝を示しており、かかる溝１２３は、背の小さい幼児が使用する際に、ガイドフレームの高さが高く、使用に不便さが発生しないようにするためのものである。
【００３６】
図５は、本発明の変形例による遮断膜が適用された洋式便器を示している。
【００３７】
遮断膜１２０Ａは、上端のくさび状の固定端１２１によりガイドフレーム１１０に固定されることで、遮断膜１２０Ａの組立または分離が容易であり、よって、遮断膜を交換したり掃除することが便利であり、衛生的に管理が可能である。
【００３８】
図６は、本発明による尿飛散防止機構が備えられた洋式便器において、遮断膜のまた別の変形例を示す図面であって、遮断膜１２０Ｂは折り畳み方向にしわが形成されることができ、よって、シート部３２が下りて遮断幕１２０Ｂが折り畳まれる過程で、しわに沿って折り畳みが行われることができる。
【００３９】
（第２実施例）
図７は、本発明による尿飛散防止機構が備えられた洋式便器の好ましい第２実施例を示す図面である。
【００４０】
図７を参考にすると、本実施例による尿飛散防止機構は、便器本体２０の上部に両端が上方に弾性支持されてヒンジ結合されるガイドフレーム２１０と、このガイドフレーム２１０に固定され、ガイドフレーム２１０と便器本体との間を遮るための遮断膜２２０と、ガイドフレーム２１０に横方向に固定され、シート部３２の回動操作と連動され、ガイドフレーム２１０を上下回動させることになる補助ストリップ２３０とで構成されることができる。
【００４１】
本実施例では、ガイドフレーム２１０は、両端がヒンジブラケット２１１に回動可能に組み立てられ、ヒンジブラケット２１１は、便器本体２０上端の両側部に両面テープまたは接着剤を用いて固定されたり、「コ」字状のクリップで固定されることができる。
【００４２】
ヒンジブラケット２１１には、トーションスプリング２１２が設けられ、ガイドフレーム２１０の全体は上方に弾性支持される。
【００４３】
遮断膜２２０は、第１実施例で説明したものと同一であるため、重複する説明は省略する。
【００４４】
補助ストリップ２３０は、両側端部がガイドフレーム２１０に横方向に固定され、シート部２３の回動可能な半径内に位置され、シート部２３の回動操作と連動され、ガイドフレーム２１０を上下回動させることになる。
【００４５】
従って、本発明の第２実施例では、第１実施例とは異なり、ガイドフレーム自体に対する大きさや形態に制限なく、シート部２３が下りると、補助ストリップ２３０がシート部２３により押され、ガイドフレーム２１０が下に下りるようにすることができる。
【００４６】
（第３実施例）
図８は、本発明による尿飛散防止機構が備えられた洋式便器の好ましい第３実施例を示す図面である。
【００４７】
図８を参考にすると、本発明の第３実施例による洋式便器は、便器本体２０の前端部を囲むように位置し、便器本体２０の高さよりも高く上下昇降可能に設けられる遮断板３１０と、遮断板３１０の上下昇降方向を案内するように遮断板３１０と組み立てられる少なくとも二つ以上のガイド部材３２０と、遮断板３１０を上方に弾性支持するようにガイド部材３２０に設けられる弾性支持部材３３０と、両側端部が遮断板３１０に横方向に固定され、シート部３２の回動可能な半径内に位置され、シート部３２の回動操作と連動され、遮断板３１０が上下駆動が行われるようにする補助ストリップ３４０とで構成されることを特徴とする。
【００４８】
遮断板３１０は、便器本体２０の前端部を囲むようにほぼ平面状が「Ｕ」字状を有し、上端位置（尿飛散防止位置）で尿が便器本体２０の外に飛び散らないようにする。
【００４９】
ガイド部材３２０は、遮断板３１０の上下移動を案内するように多数個で構成され、好ましくは、ベースプレート３２１に鉛直方向に設けられる。遮断板３１０には固定用ブラケット３１１が設けられ、この固定用ブラケット３１１により遮断板３１０は、ガイド部材３２０に沿って上下移動が可能である。
【００５０】
ベースプレート３２１にはネジ組み立てられる多数の支えの脚３３２が組み立てられることができ、支えの脚３３２を回転させ、ベースプレート３２１の高さを調節したり水平状態を調整することができる。
【００５１】
弾性支持部材３３０は各々のガイド部材３２０に挿入され、固定用ブラケット３１１を上方に弾性支持することになり、よって、遮断板３１０は弾性支持部材３３０により弾性支持され、便器本体２０の上端部以上に高く位置され、尿飛散防止位置に位置することになる。
【００５２】
補助ストリップ３４０は、両側端部が遮断板３１０に横方向に固定され、シート部３２の回動可能な半径内に位置され、シート部３２の回動操作と連動され、遮断板３１０の上下駆動が行われる。
【００５３】
このように構成された本実施例による洋式便器は、シート部３２が持ち上げられた状態で、遮断板３１０が弾性力により便器本体２０の上端部以上に高く位置し、尿飛散を防止することになり、シート部３２を下りると、補助ストリップ３４０により遮断板３１０が共に下りて、使用者がシート部３２に座っても、遮断板３１０が妨げとならない。
【００５４】
（第４実施例）
図９を参考にすると、本発明の第４実施例による洋式便器は、便器本体２０の上部に両端が上方に弾性支持されてヒンジ結合されるガイドフレーム４１０と、ガイドフレーム４１０に固定され、ガイドフレーム３１０と便器本体２０との間を遮るための遮断膜４２０と、便器本体２０の一側下端部に位置し、ガイドフレーム４１０を回転操作させるための操作ペダル４３０と、操作ペダル４３０の操作力をガイドフレーム４１０へ伝達し、ガイドフレーム４１０を昇降駆動することになる駆動伝達部とで構成されることを特徴とする。
【００５５】
本実施例において、ガイドフレーム４１０と遮断膜４２０は、上記で説明された第１実施例または第２実施例と実質的に同一であるため、本実施例で重複する説明は省略する。
【００５６】
操作ペダル４３０は、ガイドフレーム４１０を回転操作して上下昇降させるためのものであって、ベースプレート４３１の上部に固定されたヒンジブラケット４３２にヒンジ組み立てられる。
【００５７】
本実施例で、操作ペダルの設置位置は、使用者が足で操作するのが便利な範囲内で便器本体２０と隣接したどこに設けられても構わない。
【００５８】
操作ペダル４３０にはスプリング４３３が設けられ、操作ペダル４３０の操作後に外力が作用しない場合、操作ペダル４３０が再度元の位置に復帰されることができるように復元力を提供することができる。
【００５９】
また、上記実施例でも説明したとおり、ベースプレート４３１の下部にはネジ組み立てられる多数の支えの脚４３４が組み立てられることができ、支えの脚４３４を回転させて、ベースプレート４３１の高さを調節したり水平状態を調整することができる。
【００６０】
駆動伝達部は、操作ペダル４３０の操作力をガイドフレーム４１０へ伝達し、ガイドフレーム４１０を回転させて、上下昇降させる機能をする。
【００６１】
具体的に、駆動伝達部は、操作ペダル４３０とガイドフレーム４１０を連結するワイヤ４４０または紐により提供されることができる。一方、ワイヤにより伝達される操作力の方向を切換させるために、周知の滑車が用いられることができる。
【００６２】
このように構成された本実施例による尿飛散防止機構は、使用者が操作ペダル４３０を踏むことになると、スプリング４３３が膨張され、ワイヤ４４０が弛緩されながら、ガイドフレーム４１０を弾性するトーションスプリング４１１により遮断膜４２０は上端に移動することになり、よって、放尿過程で周辺に尿が飛び散ることを防止することができる。使用が完了した後に操作ペダル４３０を放すと、トーションスプリング４１１よりもさらに大きい弾性力を有するスプリング４３３の復元力により、操作ペダル４３０が元の位置に復帰されると共に、ガイドフレーム４１０を下に引っ張ることになり、遮断膜４２０が下に下りる。
【００６３】
（第５実施例）
図１０を参考にすると、本発明の第５実施例による洋式便器は、便器本体２０の前端部を囲むように位置し、便器本体２０の高さより高く上下昇降可能に設けられる遮断板５１０と、便器本体２０の一側下端部に位置し、遮断板５１０を昇降操作するための操作ペダル５２０と、操作ペダル５２０の操作力を遮断板５１０へ伝達し、遮断板５１０を昇降駆動することになる駆動伝達部５３０とで構成されることを特徴とする。
【００６４】
遮断板５１０は、便器本体２０の前端部を囲むようにほぼ平面状が「Ｕ」字状を有し、上端位置（尿飛散防止位置）で尿が便器本体２０の外に飛び散らないようにする。
【００６５】
操作ペダル５２０は遮断板５１０を上下昇降操作するためのものであって、駆動伝達部５３０とともにベースプレート５２１の上部に固定されたヒンジブラケット５２２にヒンジ組み立てられる。
【００６６】
上記でも説明した通り、操作ペダルの設置位置は使用者が足で操作するのが便利な範囲内で、便器本体２０と隣接したどこに設けられても構わない。
【００６７】
操作ペダル５２０にはスプリング５２３が設けられ、操作ペダル４３０の操作後に外力が作用しない場合、操作ペダル４３０が再度元の位置に復帰されることができるように復元力を提供することができる。
【００６８】
ベースプレート５２１には、ネジ組み立てられる多数の支えの脚５２４が組み立てられることができ、支えの脚５２４を回転させ、ベースプレート５２１の高さを調節したり水平状態を調整することができる。
【００６９】
駆動伝達部５３０は操作ペダル５２０の操作力を遮断板５１０へ伝達し、遮断板５１０を上下昇降させる機能をする。
【００７０】
具体的に、駆動伝達部５３０は操作ペダル５２０と固定され、上側先端が遮断板５１０の下端と接するレバー５３１と、遮断板５１０の昇降を案内する多数のガイド棒５３２により提供されることができ、遮断板５１０にはガイド棒５３２との組立てのために、固定用ブラケット５１１が設けられることができる。
【００７１】
このように構成された本実施例による尿飛散防止機構は、使用者が操作ペダル５２０を踏むと、操作ペダル５２０に連結されたレバー５３１が遮断板５１０を上に押し上げて、遮断板５１０は上端に移動することになり、よって、放尿過程で周辺に尿が飛び散ることを防止することができる。使用が完了した後に操作ペダル４３０から足を放すと、遮断板５１０は自重により下に移動しながら、レバー５３１を押して操作ペダル５２０は再度元の位置に復帰され、このとき、スプリング５２３は操作ペダル５２０が元の位置にさらに円滑に復帰されることができるように補助することができる。
【００７２】
図１１及び図１２は、本発明による尿飛散防止機構が備えられた洋式便器において、駆動伝達部の他の変形例を示す図面である。
【００７３】
図１１を参考にすると、本実施例で、駆動伝達部５４０は、便器本体２０の下端部に位置するベースプレート５４１と、ベースプレート５４１と遮断板５１０に各々両端が回動可能に組み立てられる少なくとも二つ以上で構成されるが、少なくとも一つは、前記操作ペダル５２０と連結される回動リンク５４２と、回動リンク５４２を弾性支持することになる弾性体５４３とにより提供されることができる。
【００７４】
ベースプレート５４１には、便器本体２０の下端部に位置し、駆動伝達部の全体を支持する役割をし、上記実施例でも説明したとおり、ネジ組み立てられる多数の支えの脚５４４が組み立てられることができ、支えの脚５４４を回転させ、ベースプレート５４１の高さを調節したり水平状態を調整することができる。
【００７５】
ベースプレート５４１には、回動リンク５４２の下端部が回動可能に組み立てられることができるように多数のヒンジブラケット５４２ａが設けられることができる。
【００７６】
本実施例で、回動リンク５４２は左側と右側に各々２つずつ設けられ、そのうちの一つは操作ペダル５２０と固定される。
【００７７】
従って、操作ペダル５２０の操作により回動リンク５４２はヒンジブラケット５４２ａを軸として回転するとともに、遮断板５１０の上下昇降が行われることができる。
【００７８】
弾性体５４３は、操作ペダル５２０に外力が作用しない場合に、操作ペダル５２０とともに遮断板５１０が本位に帰ることができるようにする。
【００７９】
本実施例で、弾性体は回動リンクに固定されるものと示しているが、操作ペダルに連結されても構わない。
【００８０】
このような駆動伝達部５４０は、遮断板５１０を使用しない場合は、遮断板５１０が便器本体２０下端の奥側の空間内に位置することになるため、遮断板５１０が大きな空間を占めない。
【００８１】
一方、使用者が放尿のために操作ペダル５２０を踏むと、操作ペダル５２０と固定されて連結された回動リンク５４２が回転するとともに、遮断板５１０が上方に位置（尿飛散防止位置）することになり、従って、尿が便器本体２０の外に飛び散ることを防止することができる。
【００８２】
以上で説明した本発明は、前述した実施例及び添付図により限定されるわけではなく、本発明の技術的思想を外れない範囲内で様々な置換、変形及び変更が可能であるということは、本発明が属する技術分野で通常の知識を有する者に明白である。
【符号の説明】
【００８３】
２０    便器本体
３２    シート部
１１０、２１０、４１０    ガイドフレーム
１２０、１２０Ａ、１２０Ｂ、２１０、４２０    遮断膜
１１２、２１１、４３２、５２２、５４２ａ    ヒンジブラケット
１１３、２１２、４１１    トーションスプリング
１２１    固定端
１２２    固定孔
１２３    溝
１２４    重り
２３０、３４０    補助ストリップ
３１０、５１０    遮断板
３２０    ガイド部材
３１１、５１１    固定用ブラケット
３２１、４３１、５２１、５４１    ベースプレート
３３０    弾性支持部材
３３２、４３４、５２４、５４４    支えの脚
４３０、５２０ 操作ペダル
４３３、５２３、５４３  スプリング
４４０    ワイヤ
５３０、５４０    駆動伝達部
５３１    レバー
５３２    ガイド棒
５４２    回動リンク
５４３    弾性体
【図１】
2015510063.tif 000003
【図２】
2015510063.tif 000004
【図３】
2015510063.tif 000005
【図４】
2015510063.tif 000006
【図５】
2015510063.tif 000007
【図６】
2015510063.tif 000008
【図７】
2015510063.tif 000009
【図８】
2015510063.tif 000010
【図９】
2015510063.tif 000011
【図１０】
2015510063.tif 000012
【図１１】
2015510063.tif 000013
【図１２】
2015510063.tif 000014
【国際調査報告】
2015510063.tif 000015
2015510063.tif 000016
2015510063.tif 000017
2015510063.tif 000018